(57)【要約】【課題】本発明は、情報処理装置及び蓋保持機構に関し、例えばノートパソコンに適用して、従来に比して確実に内蔵部品を保護し得、デザイン的に優れ、かつ確実に蓋を操作することができるようにする。【解決手段】本発明は、蓋５の押圧によりスライド操作可能とするロック機構１５、１６と、蓋５を開口部１１に押圧する押圧機構９、３６、３１、３２、４１、４２とを設ける。【選択図】        図２
2004272707.tif 000002
【特許請求の範囲】
【請求項１】
ケースに形成された開口部を介して、他の機器と接続できるようになされた情報処理装置において、
前記ケースの内側より、前記開口部に押し付けられて、前記開口部を閉じる蓋と、
前記開口部側からの押圧により前記蓋が沈み込むようにして、前記蓋を前記開口部に押圧する押圧機構と、
前記押圧機構によって前記開口部に前記蓋が押し付けられた状態では、前記蓋のスライド操作を困難とし、前記蓋が沈み込んだ状態では、前記蓋をスライド操作可能とするロック機構と、
前記蓋のスライド操作に対応して前記蓋をガイドするガイド機構と
を備えることを特徴とする情報処理装置。
【請求項２】
前記押圧機構が、
前記蓋を前記開口部に押圧する弾性片であり、
前記ロック機構が、
前記ケースに形成された前記蓋の部材の端部に当接する突起であり、
前記ガイド機構が、
前記蓋の部材の端面に当接する金属板材である
ことを特徴とする請求項１に記載の情報処理装置。
【請求項３】
他の機器を接続する開口部を閉じる蓋に係る蓋保持機構において、
前記開口部側からの押圧により前記蓋が沈み込むようにして、前記蓋を前記開口部に押圧する押圧機構と、
前記押圧機構によって前記開口部に前記蓋が押し付けられた状態では、前記蓋のスライド操作を困難とし、前記蓋が沈み込んだ状態では、前記蓋をスライド操作可能とするロック機構と、
前記蓋のスライド操作に対応して前記蓋をガイドするガイド機構と
【発明の詳細な説明】
【０００１】
【発明の属する技術分野】
本発明は、情報処理装置及び蓋保持機構に関し、例えばノートパソコンに適用することができる。本発明は、蓋の押圧によりスライド操作可能とするロック機構と、蓋を開口部に押圧する押圧機構とを設けることにより、従来に比して確実に内蔵部品を保護し得、デザイン的に優れ、かつ確実に蓋を操作することができるようにする。
【０００２】
【従来の技術】
従来、ノートパソコンにおいては、携帯性を向上させるために、携帯して使用する頻度の少ない光ディスクドライブ等については、別体の拡張装置側に収納するようになされており、例えば特開２０００−８９８５３号公報等においては、この拡張装置における使い勝手を向上する方法が提案されるようになされている。
【０００３】
このようなノートパソコンにおいては、所定のロック機構によりこのような拡張装置と一体化することにより、ノートパソコンのコネクタに拡張装置のコネクタが接続され、これにより拡張装置の光ディスクドライブ等をノートパソコンで使用できるようになされている。また携帯して使用して、このような拡張装置と接続するコネクタの損傷等を有効に回避し得るように、このコネクタを隠す蓋が設けられるようになされている。
【０００４】
従来、この蓋においては、例えばノートパソコンから完全に取り外せるようになされたもの、単なるスライド蓋、拡張装置側のコネクタによる押圧により退避する回動扉形式のもの等が提供されるようになされている。
【０００５】
【特許文献１】
特開２０００−８９８５３号公報
【０００６】
【発明が解決しようとする課題】
ところで従来のこの種の拡張装置との接続に係る蓋にあっては、実用上、未だ不十分な問題がある。
【０００７】
すなわち回動扉形式の蓋にあっては、種々の突起物等が突き当たっても蓋が開くことにより、スライド蓋に比して内蔵のコネクタ等を十分に保護できない。また完全に取り外す形式にあっては、蓋を紛失する恐れがある。
【０００８】
これに対してスライド蓋にあっては、このような回動扉形式等における問題点については解消することができる。しかしかなら、単なるスライド扉にあっては、スライドさせる分、ケース表面より奥まった位置に設けざるを得ず、その分、外観形状に関して品位が劣化する問題がある。またこのような蓋にあっては小さく作成され、このような蓋をスライドさせようとすると、どうしても蓋を押圧してしまい、これにより開けづらい問題もあり、甚だしい場合には、蓋を損傷する恐れもある。
【０００９】
本発明は以上の点を考慮してなされたもので、従来に比して確実に内蔵部品を保護し得、デザイン的に優れ、かつ確実に蓋を操作することができる情報処理装置及び蓋保持機構を提案しようとするものである。
【００１０】
【課題を解決するための手段】
かかる課題を解決するため請求項１の発明においては、ケースに形成された開口部を介して、他の機器と接続できるようになされた情報処理装置に適用して、ケースの内側より、開口部に押し付けられて、開口部を閉じる蓋と、開口部側からの押圧により蓋が沈み込むようにして、蓋を開口部に押圧する押圧機構と、押圧機構によって開口部に蓋が押し付けられた状態では、蓋のスライド操作を困難とし、蓋が沈み込んだ状態では、蓋をスライド操作可能とするロック機構と、蓋のスライド操作に対応して蓋をガイドするガイド機構とを備えるようにする。
【００１１】
また請求項３の発明においては、蓋保持機構に適用して、開口部側からの押圧により蓋が沈み込むようにして、蓋を開口部に押圧する押圧機構と、押圧機構によって開口部に蓋が押し付けられた状態では、蓋のスライド操作を困難とし、蓋が沈み込んだ状態では、蓋をスライド操作可能とするロック機構と、蓋のスライド操作に対応して蓋をガイドするガイド機構とを備えるようにする。
【００１２】
請求項１の構成によれば、開口部側からの押圧により蓋が沈み込むようにして、蓋を開口部に押圧する押圧機構と、押圧機構によって開口部に蓋が押し付けられた状態では、蓋のスライド操作を困難とし、蓋が沈み込んだ状態では、蓋をスライド操作可能とするロック機構と、蓋のスライド操作に対応して蓋をガイドするガイド機構とを備えることにより、突起物等により単に蓋が押圧されただけの場合にあっては、突起物等による押圧が終了すると、押圧機構により再び元の状態に戻り、これにより確実に内部を保護することができる。また蓋の誤った操作により、さらにはこのような突起物等により、蓋が強い力で押圧された場合には、弾性機構によりこの力を吸収し得、これにより蓋の損傷等を有効に回避することができる。またこのような蓋の操作にあっては、必ず蓋の押圧を伴うことにより、簡易な操作により蓋をスライドさせ、また元の状態にも簡易に戻すことができる。またこのような蓋を押圧してスライドさせることにより、蓋においては、開口側の表面を開口に飛び出すように形成し得、これにより例えばケース表面と蓋の表側面とをいわゆる面一に形成してデザインを優れたものとすることができ、これらにより従来に比して確実に内蔵部品を保護し得、デザイン的に優れ、かつ確実に操作することができる。
【００１３】
これにより請求項３の構成によれば、従来に比して確実に内蔵部品を保護し得、デザイン的に優れ、かつ確実に操作をすることができる蓋保持機構を提供することができる。
【００１４】
【発明の実施の形態】
以下、適宜図面を参照しながら本発明の実施の形態を詳述する。
【００１５】
（１）実施の形態の構成
図１は、本発明の実施の形態に係るノートパソコンの背面側を底面側より見て示す斜視図である。このノートパソコン１は、携帯して使用する頻度の少ない光ディスクドライブ等については、別体の拡張装置に設けられるようになされ、これによりこのような光ディスクドライブ等を使用する場合には、拡張装置に接続して使用するようになされている。また携帯して使用する場合には、この拡張装置より取り外して、背面に設けられたバッテリパック２の電源により動作するようになされている。
【００１６】
このノートパソコン１は、矢印Ａにより部分的に拡大して示すように、背面のコーナー側、バッテリパック２を避けた箇所に、盗難防止用のロック穴（いわゆるケンジントンロックのロック穴である）３が設けられるようになされ、これによりセキュリティーを確保し得るようになされている。また矢印Ｂにより部分的に拡大して示すように、バッテリパック２を取り付けた場合にバッテリパック２により隠れる、バッテリパック２を取付ける凹部の側面にも盗難防止用のロック穴４が設けられるようになされている。これらによりこのノートパソコン１は、種々の形態により展示、使用される場合においても、十分なセキュリティーを確保し得るようになされている。すなわち例えば拡張装置にセットして、背面に設けられた盗難防止用のロック穴３が隠れてしまう場合にあっては、バッテリパック２の取付け箇所に設けられた盗難防止用のロック穴４を使用することができ、またバッテリパック２を装着する場合には、背面の盗難防止用のロック穴３を使用することができ、また場合によってはこれら双方のロック穴３、４を同時に使用することもできる。
【００１７】
ノートパソコン１は、底面の奥側に、拡張装置に接続するコネクタを隠す蓋５が設けられるようになされている。
【００１８】
図２は、この蓋５の係る構成をノートパソコン１の内部側より見て示す分解斜視図である。また図３及び図４は、ガイド９を取り外した状態で、蓋５が閉じた状態と、蓋５が開いた状態とを示す斜視図である。ノートパソコン１においては、樹脂性のケース１０に長方形形状による開口部１１が作成され、この開口部１１が内側より蓋５で閉じられるようになされている。ケース１０は、この開口部１１の背面側、開口部１１の長手方向に沿って延長する壁状の突起１２が設けられ、蓋５を閉じた状態より背面側に蓋５が移動しようとすると、この壁状の突起１２に蓋５が突き当るように形成され、これにより蓋５の背面側への移動を制限するようになされている。
【００１９】
またノートパソコン１においては、この壁状の突起１２の両側に、長方形形状による開口部１３、１４が形成され、この開口部１３、１４により形成される底側の空間を有効に利用して、ガイド９により蓋５を開口部１１に押し付けるようになされている。なおこれらの開口部１３、１４にあっては、ケースを構成する別の部材により、外部からは見て取られないようになされている。
【００２０】
またノートパソコン１においては、開口部１１を間に挟んでこれらの開口部１３、１４と対向する箇所に、低い壁状の突起１５、１６がケース１０に設けられる。ここでこれら壁状の突起１５、１６は、開口部１１の長手方向と直交する方向に延長するように形成され、その開口部１１側の端面が、蓋５を閉じた状態で蓋５の端面にほぼ当接するようになされ、これにより蓋５の手前側への移動を制限するようになされている。またこれら壁状の突起１５、１６は、開口部１１側に向かって、途中から高さが低くなるように形成され、これにより蓋５が押し込まれた状態で手前側にスライドされると、蓋５が乗り上るようになされている。
【００２１】
これによりこの壁状の突起１５、１６は、後述する弾性片４１、４２、３６による押圧機構によって開口部１１に蓋５が押し付けられた状態では、蓋５のスライド操作を困難とし、蓋５がケースの内側に沈み込んだ状態では、蓋５をスライド操作可能とするロック機構を構成するようになされている。
【００２２】
さらにノートパソコン１においては、これら壁状の突起１５、１６の手前側に、同様の、壁状の突起１７、１８がケース１０に設けられる。ここでこれら壁状の突起１７、１８は、蓋５を開いた場合に、開口部１１側の端面が蓋５に突き当たるように形成され、これによりスライド操作可能な範囲を制限するストッパーとして機能するようになされている。またこれら壁状の突起１７、１８は、内側面に突起１７Ａ及び１７Ｂ、１８Ａ及び１８Ｂがそれぞれ形成され、これらの突起１７Ａ及び１７Ｂ、１８Ａ及び１８Ｂにより蓋５を操作した際に、一時的に抵抗を増大させた後、この抵抗を減少させてクリック感を醸し出すようになされている。ノートパソコン１においては、さらに開口部１１を囲むように、ネジ留め用のポスト１９〜２２がケース１０に形成されるようになされている。また手前側には、ガイド９の位置決め用の突起２７、２８が形成されるようになされている。
【００２３】
これらの構成に対応して蓋５においては、樹脂を射出成形して本体部分５Ａが長方形形状により形成され、この本体部分５Ａの表側面が開口部１１の形状に対応して外側に飛び出す形状により形成される。これにより蓋５においては、この飛び出した箇所が開口部１１に納まって、開口部１１を塞ぐようになされている。蓋５においては、このようにして開口部１１を完全に塞いだ状態で、表側面がケース１０の外装面とほぼ同一の高さとなるように形成され、これによりノートパソコン１においては、デザイン的に優れたものとなるようになされている。
【００２４】
また蓋５は、このように外側が飛び出すように形成されて、その分、内側面においても、表面側に凹む形状により形成され、これにより重量、樹脂量を軽減できるようになされている。またこの本体部分５Ａにおいては、この凹む形状の部分に桟が形成され、これにより強度を向上するようになされている。
【００２５】
蓋５は、ケース１０の開口部１３、１４に対応する部位が背面側に平板状に飛び出してつば３１、３２が形成される。このつば３１、３２は、蓋５を閉じた状態で、開口部１３、１４の内側に延長するように形成され、これによりノートパソコン１では、ガイド９により表面側に向かってこれらつば３１、３２を押圧して蓋５を開口部１１に押し付けるようになされている。
【００２６】
また蓋５は、壁状の突起１７、１８の内側に、突起１７、１８に沿って延長するつば３３、３４が形成される。ここでつば３３、３４は、外側に突起３３Ａ、３４Ｂがそれぞれ形成され、蓋５を閉じた状態では、突起１７、１８にそれぞれ形成された背面側の突起１７Ａ、１８Ａの背面側にて、突起３３Ａ、３４Ａが突起１７Ａ、１８Ａに接触するようになされている。またこの閉じた状態から蓋５を手前側に移動させると、つば３３、３４が撓んで突起３３Ａ、３４Ａが突起１７Ａ、１８Ａを乗り越えた後、さらに手前側の突起１７Ｂ、１８Ｂを乗り越えるようになされている。これによりこのノートパソコン１では、蓋５を開閉する際のクリック感を発生させるようになされている。
【００２７】
また蓋５は、このつば３３、３４において、両側より手前側に端部が延長した後、内側に向かって折り返して延長し、さらに折り返して背面側に延長し、途中で内側に折れ曲がって連結するように形成される。蓋５は、この連結された箇所が幅広に、手前側に向かって延長するように形成され、この手前側に延長する部位がガイド９側に徐々に立ち上がるように形成される。これにより蓋５は、極めて弾性を有する弾性片３６が形成され、この弾性片３６によりガイド９を押圧してその反作用により開口部１１を押圧するようになされている。
【００２８】
すなわちガイド９は、金属板材を抜き打ち、曲げ加工して形成される。ガイド９は、蓋５を上面側、側面側より囲む形状により形成され、位置決め用の突起２７、２８に対応して位置決め用孔、ネジ留め用のポスト１９〜２２に対応してネジ留め用孔がそれぞれ形成され、これにより位置決め用の突起２７、２８を用いて位置決めしてケース１０にネジ留めできるようになされている。またこのように蓋５を上面側、側面側より囲むようにして、蓋５を開閉する際に、蓋５をガイドできるようになされている。
【００２９】
またガイド９は、図３及び図４をそれぞれＡ−Ａ線、Ｂ−Ｂ線により切り取って図５及び図６に示すように、蓋５を閉じた状態で、蓋５のつば３１、３２を表側に向けて押圧するように弾性片４１、４２が形成され、また蓋５の弾性片３６が突き当たる当接部４３が設けられるようになされている。これによりこの実施の形態では、弾性片４１、４２、３６により、開口部１１側からの押圧により蓋５が沈み込むようにして、蓋５を開口部１１に押圧する押圧機構を構成するようになされ、この押圧機構により蓋５を３点により開口部１１側に押圧して、確実に開口部１１を蓋５により閉じることができるようになされている。
【００３０】
またガイド９は、この弾性片３１、３２が開口部１１側に向かって斜めに延長するように形成され、また蓋５を開いた場合には、弾性片３６が当接部４３により押圧されなくなる長さにより形成され、これにより蓋５を開いた状態では、蓋５を開口部１１側に押圧しないようになされている。
【００３１】
なおこの図５、図６に示すように、蓋５は、開く方向にスライド操作する側とは逆側に偏った位置に、つめ５Ａが作成され、これによりこのつめ５Ａを指により引っかけて簡易にスライド操作できるようになされている。またユーザーに対してこのつめ５Ａの存在によりスライド操作を想起させ、、さらにはスライド操作の方向を想起させるようになされている。
【００３２】
ノートパソコン１は、このようにして形成された蓋５が配置されてなる開口部１１の内側に、拡張装置と接続されるコネクタが基板に保持されて設けられるようになされ、これにより図６において、矢印により示すように蓋５を押し下げてスライドさせることにより、このコネクタを露出させて外部機器を接続できるようになされている。
【００３３】
（２）実施の形態の動作
以上の構成において、このノートパソコン１では（図２〜図６）、蓋５を閉じた状態では、ガイド９の弾性片４１、４２が蓋５のつば３１、３２を押圧し、また蓋５に形成された弾性片３６がガイド９の当接部４３を押圧し、これらにより開口部１１の内側より蓋５が開口部１１に押し付けられた状態に保持される。これによりノートパソコン１では、塵等の侵入が防止される。
【００３４】
またこの状態で、突起物等により蓋５が押圧されると、弾性片４１、４２、３６の撓みが大きくなり、これら弾性片４１、４２、３６による押圧機構によりこの押圧力を吸収し得、これにより蓋５に係る一連の構造の破損、さらには蓋５の傷つき等が有効に回避される。
【００３５】
これに対してユーザーが蓋５を開く場合、スライド操作する方向とは逆側の偏った位置に形成された蓋５のつめ５Ａを引っかけて、蓋５をスライド操作することになる。このときこのようなスライド操作においては、図６において矢印により示すように、若干なりとも蓋５を押圧して蓋５をスライドさせることになり、この場合、始めに、弾性片４１、４２、３６が撓んで蓋５が開口部１１より奥まった位置に変位することになる。これにより蓋５の端面に当接して蓋５のスライド操作方向への移動を制限していたロック機構である突起１５、１６に蓋５が乗り上げて、このロック機構によるロックが解除され、ユーザーによる操作に応動して蓋５が手前側にスライド操作される。
【００３６】
これにより蓋５においては、表側から見て、一旦、沈み込んだ後、手前側にスライドし、蓋５を閉じた状態で、表側面がケース１０の外装面とほぼ同一の高さとなるように形成されている場合でも、確実に、開口部１１を露出させることができる。しかしてこのように蓋５の表側面がケース１０の外装面とほぼ同一の高さとなるように形成されている場合にあっては、開口部１１と蓋５との隙間のみが線状に見て取られ、これによりデザイン的に優れたものとすることができる。
【００３７】
なおこの場合に、ロック機構を構成する突起１５、１６が開口部１１側に向かって、途中から高さが低くなるように形成されていることにより、このようなスライド操作において、この突起１５、１６においても、一旦沈み込んだ蓋５が開口部１１側に戻らないように蓋５をガイドするガイド機構を構成することになる。
【００３８】
このようにして蓋５をスライドさせて開口部１１を露出させるにつき、ノートパソコン１においては、蓋５に形成されたつば３３、３４の突起３３Ａ、３４Ａが、ケース１０に形成された突起１７、１８の突起１７Ａ、１７Ｂ、１８Ａ、１８Ｂに引っ掛かって移動し、これにより完全に蓋５を閉じた状態と、完全に開いた状態とでそれぞれクリック感を発生させて、ユーザーの操作感を高め、さらには確実に蓋５をスライド操作させることができるようになされている。
【００３９】
（３）実施の形態の効果
以上の構成によれば、蓋の押圧によりスライド操作可能とするロック機構と、蓋を開口部に押圧する押圧機構とを設けることにより、従来に比して確実に内蔵部品を保護し得、デザイン的に優れ、かつ確実に蓋を操作することができる。
【００４０】
（４）他の実施の形態
なお上述の実施の形態においては、蓋及びガイドに形成した弾性片により蓋５を開口部に押圧する場合について述べたが、本発明はこれに限らず、このような弾性片を作成する部位については種々に変更することができ、さらには弾性片に代えてバネ等により押圧機構を構成するようにしてもよい。
【００４１】
また上述の実施の形態においては、突起の端面に突起を当接させてロック機構を構成する場合について述べたが、本発明はこれに限らず、ロック機構については、種々の構成を適用することができる。
【００４２】
また上述の実施の形態においては、金属板材を曲げ加工して形成したガイドにより蓋をガイドする場合について述べたが、本発明はこれに限らず、例えばケースに壁を作成してこの壁により蓋の側面をガイドする場合等、種々のガイド機構を適用することができる。
【００４３】
また上述の実施の形態においては、拡張装置を接続する場合について述べたが、本発明はこれに限らず、例えばメモリカード等、種々の機器を接続する場合に広く適用することができる。
【００４４】
また上述の実施の形態においては、ノートパソコンに本発明を適用する場合について述べたが、本発明はこれに限らず、ＰＤＡ（Ｐｅｒｓｏｎａｌ  Ｄｉｇｉｔａｌ  Ａｓｓｉｓｉａｎｔｓ  ）、携帯電話、ゲーム機等、種々の情報処理装置に広く適用することができる。
【００４５】
【発明の効果】
上述のように本発明によれば、蓋の押圧によりスライド操作可能とするロック機構と、蓋を開口部に押圧する押圧機構とを設けることにより、従来に比して確実に内蔵部品を保護し得、デザイン的に優れ、かつ確実に蓋を操作することができる。
【図面の簡単な説明】
【図１】本発明の実施の形態に係るノートパソコンを示す斜視図である。
【図２】図１のノートパソコンの蓋に係る構成を示す分解斜視図である。
【図３】図１のノートパソコンの蓋を閉じた状態を示す斜視図である。
【図４】図１のノートパソコンの蓋を開いた状態を示す斜視図である。
【図５】図３をＡ−Ａ線により切り取って示す断面図である。
【図６】図４をＢ−Ｂ線により切り取って示す断面図である。
【符号の説明】
１……ノートパソコン、３、４……ロック穴、５……蓋、９……ガイド、１０……ケース、１１……開口部
【図１】
2004272707.tif 000003
【図２】
2004272707.tif 000004
【図３】
2004272707.tif 000005
【図４】
2004272707.tif 000006
【図５】
2004272707.tif 000007
【図６】
2004272707.tif 000008